(57)【要約】【課題】プリンタのフューザから媒体を引き離す改良型の装置および方法を得る。【解決手段】プリンタのフューザから媒体を引き離す装置および方法は、フューザ部材１１０を通して媒体シート１４０を供給し、引き離し点においてフューザ部材１１０から媒体シート１４０を引き離すようにエアナイフ１２０からフューザ部材１１０上の媒体シート１４０にガス１２２を使用すること含む。また、この方法は、１組の回転部材１３０を用いて媒体シート１４０に張力１４２を付与し、１組の回転部材１３０が媒体シート１４０に張力１４２を付与するまでエアナイフ１２０から媒体シート１４０にガス１２２を引き続き使用することを含む。【選択図】図１
2010164967.tif 000002
【特許請求の範囲】
【請求項１】
フューザ部材、エアナイフ、および１組の回転部材を含む印刷装置に関する方法であって、
前記フューザ部材を通して媒体シートを供給するステップと、
引き離し点において前記フューザ部材から前記媒体シートを引き離すように、前記エアナイフから前記フューザ部材上の前記媒体シートにガスを供給するステップと、
前記１組の回転部材を用いて前記媒体シートに張力を付与するステップと、
前記１組の回転部材が前記媒体シートに張力を付与するまで、前記エアナイフから前記媒体シートにガスを引き続き供給するステップと
を含むことを特徴とする方法。
【請求項２】
請求項１に記載の方法であって、
前記張力を付与するステップは、前記エアナイフを用いた前記フューザ部材における引き離し点と実質的に同じ点である前記１組の回転部材を用いた前記フューザ部材における引き離し点で、前記媒体シートの引き剥がしが担保されるように、前記１組の回転部材を用いて前記媒体シートに張力を付与することを特徴とする方法。
【請求項３】
印刷に有用な装置であって、
媒体シートを接触させて前記媒体シートにマーキング材料を定着させるように構成されるフューザ部材と、
前記媒体シートにガスを供給してフューザ部材における引き離し点のところで前記フューザ部材から前記媒体シートを引き離すエアナイフと、
前記エアナイフから前記媒体シートへのガスの供給を停止する前に前記媒体シートに張力を付与する１組の回転部材と
を備えることを特徴とする装置。
【請求項４】
請求項３に記載の装置であって、前記エアナイフを用いた前記フューザ部材における引き離し点と実質的に同じである点である前記１組の回転部材を用いた前記フューザ部材における引き離し点で、前記媒体シートが分離することを担保するように、前記１組の回転部材を、前記媒体シートに張力を付与できる形状にすることを特徴とする装置。
【発明の詳細な説明】
【技術分野】
【０００１】
本明細書には、プリンタのフューザから媒体を引き離す装置および方法が開示されている。
【背景技術】
【０００２】
現在、フューザは、原稿の画像に圧力および熱を加えて、原稿などの媒体に潜像を定着させるために、プリンタなどの画像生成装置に使用されている。この潜像が定着された原稿がフューザから出て行く際に、原稿がフューザロールに付着する場合がある。そのため、装置の中には、ストリッパフィンガを使用してフューザロールから原稿を剥がすものがある。しかし、残念ながら、フューザロールから原稿を剥がす際に、フィンガが原稿に接触すると、当該ストリッパフィンガにより、原稿に斑点模様が生じる場合がある。
【０００３】
また、エアナイフを使用してフューザロールから原稿を剥がす装置もある。一つまたは複数のエアナイフは、原稿とフューザロールとの間に加圧ガスを吹き付けて、フューザロールニップ位置または当該ニップ位置近傍で、原稿を剥がして、フューザロールから原稿を剥がす。これにより、原稿上での平滑に見える定着画像になり得る。一方で、これにより、エアナイフバッフル内で、原稿が、はね回る場合もある。この跳ね回りの結果、スラグが生じ、原稿がエアナイフバッフル室内で揺れ動いたり、バタバタはねたりする。
【０００４】
通常、フューザロールから原稿の前縁を剥がした後、エアナイフシステムが止まり、原稿がエアナイフバッフル内でフューザロールから曲率分離する。この時点で、剥ぎ取り機能は、原稿の剛性を利用して曲率分離を続ける。剥ぎ取り機能のこの変化により、原稿の一部がフューザロールに再びタックするので、フューザロールに対する原稿の剥離点位置が変化する。原稿の剥離点が異なると、画質欠陥が生じ、空気を止めることに起因する、むらのない色の目に見える変化が表れる。さらに、原稿シートは、その前縁がデカーラ（ｄｅｃｕｒｌｅｒ）の出口ニップに到達する前に、剥がされた後、曲線状の軌道をとることがあり、その結果、原稿シートが座屈する。エアナイフを止めた後に座屈があると、シートの剥離点はフューザニップから離れ、さらに画質欠陥を生じる。
【０００５】
上述のように、画質欠陥は、原稿上の平滑な画像外観と斑点状の画像外観との間の差異によって明示される。例えば、原稿がフューザニップの近くで剥がされると、結果として生じる画像はより平滑なものである。原稿がこのニップの後の位置で剥がされると、結果として生じる画像は斑点模様を有する。被覆された媒体を使用する原稿では、平滑さから斑点への変化は、顧客にとって特に目につくものであり、このことは、画質欠陥により突発するメインテナンス要請によって明白に示されている。
【０００６】
画質欠陥を除去または制限する１つの取組み方には、原稿シートがフューザを通過する間中ずっとエアナイフをつけたままにしておくことがある。しかし、この場合、エアナイフに関して、より大きな圧力容積が必要となり、ひいては、より大きな圧縮機が必要となる。残念ながら、圧縮機がより大きくなると、より高価になり、より大きな動力を必要とし、大きなハードウェアの変更を必要とし、かつ騒音レベルがより高くなる。さらに、エアナイフを過度に使用すると、フューザロールを過度に冷却することになる。また、エアナイフを過度に使用すると、いくつかの被覆された原稿上に空気ジェットにより生成される縞（ｓｔｒｅａｋｓ）が生じる。さらに、エアナイフは、空気の温度と原稿の波形の相互作用により空気の縞を生じることがある。例えば、多数のエアナイフは、稜線を作り出すある一定の点で原稿の下に空気を吹き付けるが、溝を作り出す他の点では原稿が依然としてフューザに少し付着し、その結果、原稿にしわを生じさせてしまう。
【先行技術文献】
【特許文献】
【０００７】
【特許文献１】米国特許第６，８４４，９３７号明細書
【特許文献２】米国特許第６，００２，９１３号明細書
【特許文献３】米国特許出願公開２００７／０２０６９８１号明細書
【特許文献４】米国特許出願公開２００８／０１９３１７６号明細書
【発明の概要】
【発明が解決しようとする課題】
【０００８】
したがって、プリンタのフューザから媒体を引き離す改良型の装置および方法を得る必要がある。
【課題を解決するための手段】
【０００９】
プリンタのフューザから媒体を引き離す装置および方法が開示される。この方法は、フューザ部材を通して媒体シートを供給し、引き離し点においてフューザ部材から媒体シートを引き離すようにエアナイフからフューザ部材上の媒体シートにガスを使用すること含むことができる。また、この方法は、１組の回転部材を用いて媒体シートに張力を行使し、１組の回転部材が媒体シートに張力を行使するまでエアナイフから媒体シートにガスを引き続き使用することを含むことができる。
【００１０】
この開示の利点および特徴を得ることができる方法を説明するために、上で簡単に述べた開示についてのより特別な説明が、添付の図面に例示するそれらの特定の実施形態を参照して行われる。これらの図面は、開示についての代表的な実施形態のみを示し、したがって、その範囲を限定すると考えるべきではないことを理解すると、この開示は、添付の図面を使用することによって追加の特異性および詳細を用いて記述されかつ説明される。
【図面の簡単な説明】
【００１１】
【図１】装置の例示的な図である。
【図２】印刷装置での方法の例示的なフローチャートを示す図である。
【図３】印刷装置での方法の例示的なフローチャートを示す図である。
【図４】装置の作動を示す例示的なグラフである。
【図５】例示的な印刷装置を示す図である。
【発明を実施するための形態】
【００１２】
この実施形態は、フューザ部材、エアナイフ、および１組の回転部材を含む印刷装置での方法を含んでいる。この方法は、フューザ部材を介して媒体シートを供給する（吹き付ける）ことを含むことができる。また、この方法は、引き離し点においてフューザ部材から媒体シートを引き離すように、エアナイフからフューザ部材上の媒体シートにガスを供給することを含むこともできる。また、この方法は、１組の回転部材を用いて媒体シートに張力を付与することを含むこともできる。また、この方法は、１組の回転部材が媒体シートに張力を付与するまで、エアナイフから媒体シートにガスを引き続き供給することを含むこともできる。
【００１３】
この実施形態は、さらに、印刷に有用な装置を含んでいる。この装置は、媒体シートを接触させて媒体シートにマーキング材料を定着させるように構成されたフューザ部材を含むことができる。また、この装置は、媒体シートにガスを供給してフューザ部材の引き離し点のところで、フューザ部材から媒体シートを引き離すように構成されたエアナイフを含むこともできる。また、この装置は、エアナイフから媒体シートへのガスの供給を停止する前に媒体シートに張力を付与するように構成された１組の回転部材を含むこともできる。
【００１４】
図１は、装置１００の例示的な図である。装置１００は、プリンタや多機能メディアデバイス、電子写真マシン、インクジェットプリンタ、レーザジェットプリンタなどであってもよく、さらには、媒体に画像を生成する任意の他のデバイスの一部であってもよい。装置１００は、媒体シート１４０を接触させて、当該媒体シート１４０にマーキング材料を定着させるように構成されたフューザ部材１１０を含む。フューザ部材１１０は、装置１００に回転支持される回転フューザ部材１１２、および、装置１００に回転支持される圧力部材１１４を含むことができる。そして、圧力部材１１４は、フューザニップ１１６のところで、原稿を回転フューザ部材１１２に押しつけることで当該原稿に圧力をかけることができる。回転フューザ部材１１２および／または圧力部材１１４としては、ロール、ベルト、または装置に回転支持された任意の他の部材を用いることができる。
【００１５】
装置１００は、媒体シート１４０にガス１２２を供給して（吹き付けて）、フューザ部材の引き離し点１４６のところで、フューザ部材１１０から媒体シート１４０を引き離すように構成されたエアナイフ１２０を含むことができる。このエアナイフ１２０は、関連する可圧ガス源に接続する流体径路を含んでもよい。また、このエアナイフは、フューザ部材１１０に隣接する１以上のオリフィスを含むこともでき、このオリフィスは、可圧ガス源から加圧ガス１２２を噴出するように構成することができる。
【００１６】
装置１００は、エアナイフ１２０による媒体シート１４０へのガス１２２の供給を停止する前に、媒体シート１４０に張力を付与するように構成された１組の回転部材１３０を含むことができる。この１組の回転部材１３０は、装置１００に回転支持される第１のデカーラ部材１３２と、装置１００に回転支持される第２のデカーラ部材１３４とを含み得るデカーラ（ｄｅｃｕｒｌｅｒ）１３０であり得る。第１のデカーラ部材１３２は、デカーラニップ１３６において、第２のデカーラ部材１３４に連結（ｃｏｕｐｌｅｄ）することができる。一例として、以下においてデカーラについての実施形態を説明するが、この実施形態で説明される構成に変えて、インバータ用の回転部材、原稿スタッカ用の回転部材、この開示の実施形態に適用する専用の回転部材、または媒体シートに張力を付与し得る任意の他の組の回転部材などの、任意の組の回転部材を使用できることを理解されたい。例えば、デカーラ１３０または他の回転部材は、その伝統的な動作によって作動し、また同時に、実施形態において開示したように媒体シート１４０に張力を加えるという二重の役割を行うことができる。第１のデカーラ部材１３２および／または第２のデカーラ部材１３４は、ロール、ベルト、または装置に回転支持され得る任意の他の部材であることができる。デカーラ１３０は、エアナイフ１２０を用いたフューザ部材からの引き離し点１４６と実質的に同じ点であるデカーラ１３０を用いたフューザ部材１１０からの引き離し点で、媒体シート１４０を分離することを確保するように、媒体シート１４０に張力を付与できる形状にすることができる。エアナイフ１２０は、デカーラ１３０が媒体シート１４０に張力を付与した後に媒体シート１４０へのガス１２２の供給を停止するように構成することができる。
【００１７】
デカーラ１３０は、媒体シート１４０の一部が依然としてフューザ部材１１０内にある間であってデカーラ１３０が媒体シート１４０（の前縁）を受け入れた後に、デカーラ１３０の回転速度を加速することによって、媒体シート１４０に張力を付与するように構成することができる。例えば、媒体シートに張力１４２を付与し、かつできるだけ急速に媒体シートのスラグ１４４を減らすように、デカーラの回転速度を増加することができる。スラグ１４４が減少して、媒体シート１４０がフューザ部材に再びタックせず、または再び付着しないということが確実になるまで、エアナイフ１２０をつけたままにしておくことができる。エアナイフ１２０は、デカーラ１３０が媒体シート１４０に張力を付与した後に停止することができる。デカーラ１３０は、媒体シート１４０に張力を付与した後にその回転速度を減速するように構成することができる。例えば、デカーラ１３０は、第１のデカーラ部材１３２および第２のデカーラ部材１３４などのデカーラロールの摩耗を低減するために、かつ／または、媒体シート１４０の画像のしみやかき傷を避けるために、スラグを減らした後に減速することができる。デカーラ１３０の回転速度は、フューザ部材１１０とデカーラ１３０との間のエアナイフバッフル１４８内などのある面域内で張力を保持し続け、媒体シート１４０のスラグを減らすように、フューザ部材１１０の速度よりも僅かに速い点まで減少させることができる。フューザ部材１１０、デカーラ１３０、インバータ（図示せず）、および他の要素についての実際の相対速度は、所望の動作によって、装置１００の各要素間の幾何学的形態および動作の関連づけを基準にした比に基づくことができる。
【００１８】
デカーラ１３０は、媒体シート１４０の後縁のカールを低減するべく媒体シート１４０に張力を付与した後に、その回転速度を減速するように構成することができる。例えば、デカーラ１３０の回転速度が、媒体シート１４０がフューザ部材１１０内にある間に媒体シート１４０にあまりにも大きすぎる張力を与える場合には、余分な張力が媒体シート１４０の後縁をカールさせることがある。このように、デカーラ１３０は、媒体シート１４０の後縁のカールを避けながら媒体シート１４０の張力を維持するように、媒体シート１４０の適切な張力を維持することができる。
【００１９】
また、デカーラ１３０は、媒体シート１４０がフューザ部材１１０を出て行った後に、その回転速度を加速するように構成することもできる。例えば、デカーラ１３０の回転速度は、媒体シート１４０の後縁がフューザ部材１１０を出て行って、装置１００の次のステーションに媒体シート１４０を移送した後に加速することができる。デカーラ１３０は、媒体シート１４０がデカーラ１３０を去るまでこの速度を維持することができる。また、デカーラ１３０は、次の媒体シート１４０の前縁がデカーラ１３０に到達するまでこの速度を維持し、または速度を減少させることもできる。デカーラ１３０は、あらゆる動作について１つの加速した速度および１つの減速した速度で動作してもよく、または所望の動作に応じて異なる加速した速度および／または減速した速度で動作してもよい。
【００２０】
ガスは、エアナイフ１２０から媒体シート１４０に使用することができ、張力は、媒体シート１４０がこの媒体シート１４０の一定の画質を維持するたように依然としてフューザ部材１１０内にある間にデカーラ１３０によって媒体シート１４０に行使することができる。例えば、デカーラ１３０の異なる速度のタイミング、およびエアナイフ１２０によってガスを使用するタイミングは、媒体シート１４０の画質欠陥を避けるように設定することができる。このようにして、媒体シート１４０がフューザ部材のニップ１１６に対してフューザ部材１１０上の一貫した位置１４６で引き離されるので、媒体シート１４０の画像は、より良好に、かつより安定して見えることがある。
【００２１】
装置１００は、媒体シートのタイプが差分画質欠陥を受けやすいかどうかを判定することができ、この差分画質欠陥は、異なる方法、かつ／または、フューザ部材１１０の異なる点においてフューザ部材１１０から媒体シート１４０を引き離すことに起因する。媒体シートのタイプが差分画質欠陥を受けやすい場合にのみ、エアナイフ１２０から媒体シート１４０へのガス１２２の供給を停止する前に、デカーラ１３０を用いて媒体シート１４０に張力を付与してもよい。例えば、デカーラの加速プロファイルおよび減速プロファイルは、欠陥を有する恐れがある媒体をユーザが選択する場合にのみ、実行することができる。媒体を選択した後、デカーラ１３０が原稿のたるみを除去するまで十分長く圧力を保ち続けるように、ソフトウェアがエアナイフのソレノイド圧力を制御することができる。このことは、原稿がフューザ部材１１０の同じ点で剥離することを担保できる。あるいは、装置１００は、いくつかの実施形態に従って、媒体シートのタイプが差分画質欠陥を受けやすいかどうかを判定することなく動作する場合もある。
【００２２】
このように、原稿などの媒体シートは、エアナイフ１２０を停止する直前に張力がかかった状態に原稿を保つようにデカーラ１３０を加速することができる。張力がかかった状態に原稿を保つことによって、原稿は、フューザ部材１１０全体上で実質的に同じ引き離し点位置１４６を保つことができ、原稿はフューザ部材１１０に再びタックせず、それにより、つやおよび斑点状の差分欠陥を除去することができる。いったん原稿がフューザ部材１１０を離れると、デカーラ１３０は、原稿上のカールなどのいかなる所望されていない機能不全をも避けるために、その速度を減少させることができる。例えば、原稿の後縁のカールは、デカーラ速度の関数である場合がある。デカーラ速度が増加すると、後縁のカールは増大することがある。理想的には、デカーラ速度は、後縁のカールを避けるようにできるだけ低速に保つことができる。実施形態は、画質欠陥を避けるようにある時点でデカーラ速度を増加することができ、一方では、後縁のカールを避けるように他の時点ではデカーラ速度を減少させる。
【００２３】
図２は、フューザ部材、エアナイフ、およびデカーラを含む印刷装置での方法の例示的なフローチャート２００を示している。この方法は、２１０において開始する。２２０では、媒体シートがフューザ部材を通して供給される。２３０において、ガスが、エアナイフからフューザ部材上の媒体シートに供給されて、引き離し点においてフューザ部材から媒体シートが引き離される。２４０では、張力が、デカーラを用いて媒体シートに付与される。張力は、媒体シートがデカーラのところで受け入れられると付与されることになる。デカーラは、媒体シートの一部が依然としてフューザ部材内にある間であってデカーラのところで媒体シートを受け入れた後に、デカーラの回転速度を加速することによって媒体シートに張力を付与することができる。エアナイフは、デカーラが媒体シートに張力を付与するまで、媒体シートにガスを引き続き使用することができる。例えば、ガスは、引き離し点のところでフューザ部材から媒体シートを離脱させるようにエアナイフからフューザ部材上の媒体シートに供給することができる。デカーラは、媒体シートが、エアナイフを用いたフューザ部材の引き離し点と実質的に同じであるデカーラを用いたフューザ部材の引き離し点で分離することを担保するように、媒体シートに張力を付与することができる。２５０において、エアナイフは、デカーラが媒体シートに張力を付与した後に媒体シートへのガスの供給を停止する。このように、デカーラは、エアナイフから媒体シートへのガスの供給を停止する前に媒体シートに張力を付与することができる。
【００２４】
例えば、デカーラの回転速度は、できるだけ急速に媒体シートのスラグを減らすように増加することができる。エアナイフは、媒体シートがフューザ部材に再びタックしないことを確保するようにスラグが減少するまでつけておくことができる。エアナイフは、デカーラが媒体シートに張力を付与した後に止めることができる。
【００２５】
２６０において、デカーラの回転速度は、媒体シートに張力を付与した後に減速することができる。デカーラの回転速度は、媒体シートの後縁のカールを低減するように媒体シートに張力を付与した後に減速することができる。例えば、媒体シートが依然としてフューザ部材内にある間にデカーラの回転速度が媒体シートにあまりにも大きすぎる張力を与える場合には、余分な張力が、媒体シートの後縁をカールさせることがある。デカーラは、デカーラロールの摩耗を低減するために、かつ／または媒体シートの画像のしみやかき傷を避けるために媒体シートのスラグを減らした後に減速することができる。デカーラの回転速度は、張力を保持したままにしておき、かつ媒体シートのスラグを減らすように、フューザ部材よりも僅かに速い点まで減少させることができる。デカーラの回転速度は、媒体シートがフューザ部材を出て行った後に加速することができる。例えば、デカーラの回転速度は、媒体シートの後縁がフューザ部材を出て行って、次のステーションに媒体シートを移送しまたはインバータの速度に合致した後に、加速させることができる。デカーラは、媒体シートがデカーラを去るまでこの速度を維持することができる。また、デカーラは、次の媒体シートの前縁がデカーラに到達するまでこの速度を維持し、または速度を減少させることもできる。デカーラは、あらゆる動作について１つの加速した速度および１つの減速した速度で動作してもよく、または所望の動作に応じて異なる加速した速度および／または減速した速度で動作してもよい。フューザ部材、デカーラ、インバータ、および他の要素についての実際の相対速度は、所望の動作によって各要素間の幾何学的形態および動作の関連づけを基準にした比に基づくことができる。
【００２６】
ガスは、エアナイフから媒体シートに供給することができ、媒体シートが媒体シートの一定の画質を維持するように依然としてフューザ部材内にある間にデカーラによって媒体シートに張力を付与することができる。例えば、デカーラの異なる速度のタイミング、およびエアナイフによってガスを供給するタイミングは、媒体シートの画質欠陥を避けるように設定することができる。このように、媒体シートがフューザ部材のニップ点に対してフューザ部材上の一貫した位置で引き離されるので、媒体シートの画像は、より良好に、かつより安定して見えることがある。２７０で、この方法は終了する。
【００２７】
図３は、フューザ部材、エアナイフ、およびデカーラを含む印刷装置での方法の例示的なフローチャート３００を示している。フローチャート３００は、フローチャート２００の要素と共に使用することができる。３１０において、フローチャート３００は開始する。３２０では、媒体シートのタイプが判定される。例えば、媒体シートが被覆されているかどうかなどの媒体シートのタイプ、または媒体シートの重量やサイズに関係する情報が、ユーザによって入力され、かつ／または印刷装置の要素によって判定され得る。３３０では、媒体シートがフューザ部材を通して供給される。３４０において、ガスが、引き離し点においてフューザ部材から媒体シートを引き離すように、エアナイフからフューザ部材上の媒体シートに供給される。３５０では、媒体シートのタイプが差分画質欠陥を受けやすいかどうか、この差分画質欠陥がフューザ部材から媒体シートを引き離すことに起因するのかどうかに基づき、判定が行われる。３６０において、媒体シートのタイプが差分画質欠陥を受けやすい場合、媒体シートのタイプが差分画質欠陥を受けやすい場合にのみエアナイフから媒体シートへのガスの供給を停止する前に、デカーラを用いて媒体シートに張力が付与される。３７０において、エアナイフは、媒体シートへのガスの供給を止める。３８０で、この方法は終了する。
【００２８】
図４は、１つの実施形態による装置１００の作動を示す例示的なグラフ４００である。４４２では、装置１００のいくつかの要素は、時間ｔ１および時間ｔ２を通じて５９６ｍｍ／ｓなどの所与の速度で媒体シートを供給することができる。時間ｔ２の後に、媒体シートは、インバータの速度に合致するように１０２０ｍｍ／ｓなどのもう１つの速度４６０に加速することができる。伝統的に、デカーラは、フューザよりも、６３８ｍｍ／ｓなどの４１２において少しより速く動作する場合があるが、これは媒体シート１４０のスラグやたるみを十分には減らさず、そこで、デカーラは、インバータに合致するように４６０での速度まで４４０のところでその速度を増加することができる。しかし、いくつかの本実施形態によれば、デカーラ１３０は、その前縁がフューザ部材１１０を出て行きデカーラ１３０に入った後に媒体シート１４０のスラグを減らすように、６９５ｍｍ／ｓなどの４２２での加速した速度で動作することができる。デカーラ１３０が時間ｔ１の間にスラグを減らし、または除去した後に、デカーラ１３０は、媒体シート１４０が依然としてフューザ部材１１０内にある間に媒体シート１４０の後縁のカールを避けるように、時間ｔ２の間に４５０のところで減速することができる。時間ｔ２の後、媒体シート１４０がフューザ部材１１０を出て行くと、デカーラ１３０は、インバータの速度に合致するように１０２０ｍｍ／ｓなどの４６０での速度に４２０のところで加速することができる。インバータを全く使用しない場合、デカーラ１３０はその代わりとして、次の媒体シートのスラグを減らす態勢となるように４２２での速度までもとの状態へ加速することができる。他の速度を、結果を最適化するために使用することができる。例えば、デカーラは、時間ｔ１の間により早く媒体シートのスラグを除去するように、４３２におけるより速い速度で動作することができ、次に、媒体シートの後縁のカールをさらに避けるように、時間ｔ２の間におよび４５０においてより遅い速度まで減速し、次いで、インバータに合致するようにｔ２の後に４６０におけるより速い速度まで４３０のところで加速することができる。
【００２９】
図５は、開示の１つの可能な実施形態に従って、装置１００のような画像生成装置５００の例示的な図である。画像生成装置５００は、複写機、プリンタ、ファクシミリ装置、多機能デバイス、あるいは印刷ドキュメント、コピー、および／または他の画像生成ドキュメントなどの画像生成ドキュメントを作ることができ得る他のデバイスのようないかなるデバイスであってもよい。
【００３０】
画像生成装置５００は、マーキングエンジン５１２を含むことができ、このマーキングエンジン５１２は、画像信号が所望の画像を生成するのに使用されるハードウェアを含むことができる。画像生成装置５００は、フィーダモジュール５１４を含むことができ、このフィーダモジュール５１４は、画像が印刷されることになるシートを蓄え、分配することができる。画像生成装置５００は、仕上げ装置５１６を含むことができ、この仕上げ装置５１６は、マーキングエンジン５１２から出力される印刷物を積み重ね、折り畳み、ステープルし、縛り、かつ／または別様に仕上げるためのハードウェアを含むことができる。また、画像生成装置５００が複写機や多機能デバイスとしても作動可能である場合には、画像生成装置５００は、ドキュメントフィーダ５１８を含むことができ、ドキュメントフィーダ５１８は最初のハードコピー画像から反射した光による信号をデジタル信号に変換するように作動することができ、これは、マーキングエンジン５１２を用いてコピーを生成するように処理することができる。また、画像生成装置５００は、その動作を制御するためのローカルユーザインタフェース５２０を含むこともできるが、画像データおよび指令についての他の供給源が、ネットワークを介して画像生成装置５００に接続される任意の数のコンピュータを含むことができる。
【００３１】
フィーダモジュール５１４は、任意の数のトレイ５３０を含むことができ、このトレイ５３０のそれぞれは、サイズ、重量、色彩、被覆、および／または透明度などの選択されたストックやタイプの媒体シートを蓄えることができる。選択されたトレイ５３０から引き抜かれたシートは、マーキングエンジン５１２まで移動してその上に１つ以上の画像を受け取る。
【００３２】
マーキングエンジン５１２は、モノクロ電子写真、カラー電子写真、イオノグラフィック、インクジェット、または他のマーキングエンジンのような任意のマーキングエンジンであることができる。ここで、マーキングエンジン５１２は、回転可能なベルトの形の光受容器５４０を含むことができる。光受容器５４０は、回転可能な画像受容体と呼ばれることができるものの例であり、印刷のために１つ以上の画像を一時的に保有することができるドラムやベルトなどの任意の回転可能な構造体を意味する。この種の画像受容体は、例示としてであり限定するものではないが、光受容器、あるいは１つ以上のインクを保有する中間部材、トナー、または媒体シートへの後続転写のための他のマーキング材料層を備えることができる。光受容器５４０を、いくつかのローラに巻き掛けることができ、いくつかのステーションを、光受容器５４０の周りに適切に配置することができる。この種のステーションは、充電ステーション５４２、画像形成ステーション５４４、現像ステーション５４６、および転写ステーション５４８を含むことができる。例示の実施形態では、画像形成ステーション５４４は、レーザベースのラスタ出力スキャナであることができ、このラスタ出力スキャナでは狭帯域レーザビームが、回転する光受容器５４０のプロセス方向に直角に方向付けられる連続する走査線を走査する。レーザは、画像データに従って動いている光受容器５４０上に小さな面域を選択的に放電して静電潜像を生じるようにオン、オフすることができ、この静電潜像は、現像ステーション５４６でトナーや他のマーキング材料で現像し、転写ステーション５４８でシートに転写することができる。
【００３３】
このようにして画像を受像したシートは、その後、フューザ部材１１０などのフューザ５５０を通して移動させることができ、フューザ５５０からの熱および／または圧力により、トナー画像が媒体シート上で実質的に永久になることができる。次に、複式印刷（ｄｕｐｌｅｘ  ｐｒｉｎｔｉｎｇ）や両面印刷の場合には、印刷されたシートは、２面目の画像を受像するように、反転して転写ステーション５４８を通じて再び供給することができる。次いで、最終的に印刷されたシートは、仕上げ装置モジュール５１６まで移動することができ、ここで、この最終的に印刷されたシートは、他の媒体シートと丁合され、ステープルされ、折り畳まれ、かつ／または別様に仕上げることができる。
【００３４】
上の説明は、電子写真印刷で使用されるフューザのようなフューザ部材を対象としているが、本明細書における教示およびクレームは、媒体上のマーキング材料のいかなる処理にも適用できることが理解されよう。例えば、マーキング材料は、液体インクやゲルインク、および／または熱インクや放射線硬化性インクを含むことができ、かつ／または媒体自体が、良好な印刷を得るための温度などの一定の必要条件を有することができる。所与の実施形態において媒体上でのインクの処理に要求される熱、圧力、および他の条件は、電子写真定着に適するものと異なる場合がある。
【００３５】
実施形態は、より平滑な画像外観およびより良好な画像分解能をもたらすことができる。また、実施形態は、媒体の画像に斑点状の仕上がりのような歪みを低減しまたは除去することもできる。例えば、媒体上の画像が剥離中にフューザ上にとどまることが長ければ長いほど、斑点状の外観がより多く現れることができる。いくつかの実施形態によれば、原稿は、ちょうどフューザニップのところで剥がされ、それにより、フューザ上での原稿の時間がより短くなり、それにより、より良好な画質になる。いくつかの実施形態は、画質を改善するために別様に要求される特別なハードウェアの必要性を排除する。また、いくつかの実施形態は、エアナイフの連続使用の必要性も排除する。このことは、より大きな圧縮機の必要性を排除することができ、エアナイフのソレノイドの過熱を回避する助けとなることができ、それにより、デューティサイクルを改善することができる。また、実施形態は、デカーラの付加速度をもたらすこともでき、それにより、原稿の潜在的なカール効果を低減することができる。また、このデカーラの付加速度は、デカーラの潜在的な摩耗を低減することもできる。
【００３６】
例えば、実施形態は、まず、ドキュメントバックルを取り除くように通常よりも速い速度でデカーラの出口ニップを走行させ、次いで、エアナイフを止めることと共に通常の出口速度まで速度を落とすことによって、画質欠陥の問題に対処している。これにより、原稿の剥離点を媒体シートの全長にわたって一定に保つことができ、画質欠陥を除去することができる。速度プロファイルは、剥離点を一定に保つようにエアナイフの制御と一緒に上記出口ニップで使用することができる。このことは、より低価格の圧縮機をもたらすことができ、エアナイフにより冷却するフューザロールにより生じる縞を回避することができる。
【００３７】
いくつかの実施形態は、プログラムされたプロセッサ上で実行することができる。しかし、実施形態は、一般的な目的や特殊な目的のコンピュータ、プログラムされたマイクロプロセッサやマイクロコントローラ、および周辺集積回路要素、集積回路、個別的な要素回路などのハードウェア電子回路やハードウェアロジック回路、プログラマブルロジックデバイス等上で実行することもできる。一般に、実施形態を実行することができる有限状態機械に存するいかなるデバイスも、この開示のプロセッサ機能を実行するために使用することができる。
【００３８】
この開示をその特定の実施形態について説明したが、多くの別法、改変、および変更が当業者には明らかであることは明白である。例えば、実施形態のさまざまな構成要素は、他の実施形態において交換し、追加し、または代用することができる。また、それぞれの図の要素のすべてが、実施形態の動作に必要であるとは限らない。例えば、実施形態の当業者は、単に独立請求項の要素を用いることによって開示の教示を作製し、使用できるようになるであろう。したがって、本明細書において述べた開示についての好ましい実施形態は、例示に過ぎず限定するものではないことが意図される。さまざまな変更を、開示の趣旨および範囲を逸脱することなく行うことができる。
【００３９】
この文書において、「第１の」、「第２の」等のような関係用語は、１つのエンティティやアクションを他のエンティティやアクションから単に識別するために使用することができ、この種のエンティティやアクションの間でこの種のいかなる実際の関係や順序も必ずしも必要とせずまたは含意するものではない。また、「頂部」、「底部」、「前部の」、「後部の」、「水平の」、「垂直の」等のような関係用語も、互いに対して要素の空間的な配向を単に識別するために使用され、いかなる他の物理的座標系に対する空間的な配向も必ずしも含意するものではない。用語「からなる（ｃｏｍｐｒｉｓｅｓ）」、「構成されている（ｃｏｍｐｒｉｓｉｎｇ）」、またはそれらの他のいかなる変形も、非排他的な包含として効力が及ぶことが意図され、それによって、要素のリストから構成されるプロセス、方法、物品、または装置は、これらの要素を含むばかりでなく、このようなプロセス、方法、物品、または装置に明白に列挙されずまたは固有の他の要素を含むこともできる。「１つの（ａ）」、「１つの（ａｎ）」等に続く要素は、より大きな制約はなく、この要素から構成されるプロセス、方法、物品、または装置に付加的な同一の要素が存在することを排除するものではない。また、用語「別の（ａｎｏｔｈｅｒ）」は、少なくとも第２番目以上として規定される。用語「含む（ｉｎｃｌｕｄｉｎｇ）」、「有する（ｈａｖｉｎｇ）」等は、本明細書で使用するように「構成されている（ｃｏｍｐｒｉｓｉｎｇ）」として規定される。
【符号の説明】
【００４０】
１００  装置、１１０  フューザ部材、１１２  回転フューザ部材、１１４  圧力部材、１１６  フューザニップ、１２０  エアナイフ、１２２  ガス、１３０  回転部材（デカーラ）、１３２  第１のデカーラ部材、１３４  第２のデカーラ部材、１３６  デカーラニップ、１４０  媒体シート、１４２  張力、１４４  スラグ、１４６  引き離し点、１４８  エアナイフバッフル、２００  フローチャート、２１０  開始、２２０  媒体シートを供給する、２３０  ガスを使用する、２４０  張力を行使する、２５０  ガスの使用を止める、２６０  デカーラを減速する、２７０  終了、３００  フローチャート、３１０  開始、３２０  媒体シートのタイプを判定する、３３０  媒体シートを供給する、３４０  ガスを使用する、３５０  媒体シートのタイプが欠陥を受けやすい、３６０  張力を行使する、３７０  ガスの使用を止める、３８０  終了、４００  グラフ、４１２  ６３８ｍｍ／ｓなどの速度、４２０  加速域、４２２  ６９５ｍｍ／ｓなどの速度、４３０  加速域、４３２  より速い速度、４４０  加速域、４４２  ５９６ｍｍ／ｓなどの速度、４６０  １０２０ｍｍ／ｓなどの速度、５００  画像生成装置、５１２  マーキングエンジン、５１４  フィーダモジュール、５１６  仕上げ装置、５１８  ドキュメントフィーダ、５２０  ローカルユーザインタフェース、５３０  トレイ、５４０  光受容器、５４２  充電ステーション、５４４  画像形成ステーション、５４６  現像ステーション、５４８  転写ステーション、５５０  フューザ。
【図１】
2010164967.tif 000003
【図２】
2010164967.tif 000004
【図３】
2010164967.tif 000005
【図４】
2010164967.tif 000006
【図５】
2010164967.tif 000007